(57)【要約】【課題】紙葉類処理装置のエラー発生後に行う戻し処理の負担を軽減する。【解決手段】紙葉類処理装置（紙幣処理装置１）は、投入部１３と、紙葉類を識別する識別部１８と、紙葉類を集積する、少なくとも一の集積部５１〜５５と、投入部、識別部及び集積部を制御することによって、紙葉類の処理を行うと共に、紙葉類の処理中にエラーが発生したときには、紙葉類の処理を停止する制御部４１と、を備える。制御部は、集積している紙葉類の数が確定していない未確定の集積部に集積されている紙葉類を、紙葉類の処理を再開する前に回収すべき回収対象に設定する。【選択図】図８
2019101851.tif 000002
【特許請求の範囲】
【請求項１】
投入された紙葉類を繰り出す投入部と、
前記投入部から繰り出された前記紙葉類を識別する識別部と、
前記識別部が識別を行った前記紙葉類を集積する、少なくとも一の集積部と、
前記投入部、前記識別部及び前記集積部を制御することによって、前記紙葉類の処理を行うと共に、前記紙葉類の処理中にエラーが発生したときには、前記紙葉類の処理を停止する制御部と、を備え、
前記制御部は、集積している紙葉類の数が確定していない未確定の集積部に集積されている紙葉類を、前記紙葉類の処理を再開する前に回収すべき回収対象に設定する紙葉類処理装置。
【請求項２】
前記制御部は、前記エラーの発生によって前記紙葉類の処理を停止した時点で、前記集積部の入口に設けたセンサが前記紙葉類を検知している場合、当該集積部は未確定の集積部であると判断する請求項１に記載の紙葉類処理装置。
【請求項３】
前記制御部は、前記エラーが発生した後、前記エラーを解除する処理が終わるまでの間に、操作者がアクセスをした前記集積部を、未確定の集積部と判断する請求項１又は２に記載の紙葉類処理装置。
【請求項４】
前記集積部は装置筐体の内部に収容されており、
前記集積部に集積されている前記紙葉類を前記装置筐体の外に払い出す返却部と、前記集積部から前記返却部へ前記紙葉類を運搬する運搬部とを備え、
前記運搬部は、前記エラーを解除する処理が終わった後、前記未確定の集積部に集積されている紙葉類を、前記返却部に運搬する請求項１〜３のいずれか１項に記載の紙葉類処理装置。
【請求項５】
前記制御部は、前記エラーを解除する処理が終わった後、前記未確定の集積部に関する情報を出力する請求項１〜４のいずれか１項に記載の紙葉類処理装置。
【請求項６】
前記集積部は、集積している前記紙葉類に操作者がアクセスすることを防止するロック機構を有しており、
前記制御部は、前記エラーが発生すると、集積している紙葉類の数が確定している確定済の集積部をロック状態とすると共に、前記エラーが発生した時点で未確定の集積部をロック解除状態とする請求項１〜５のいずれか１項に記載の紙葉類処理装置。
【請求項７】
前記集積部は、前記集積部への操作者のアクセスを検知するアクセスセンサを有しており、
前記制御部は、前記エラーが発生してから前記エラーの解除処理が終わるまでの間に、前記確定済の集積部の前記アクセスセンサが検知したときには、警報を行う請求項６に記載の紙葉類処理装置。
【請求項８】
前記制御部は、前記未確定の集積部に集積されている回収対象の紙葉類が、前記投入部に再投入されたときには、前記回収対象の紙葉類を前記集積部に集積する戻し処理を実行する請求項１〜７のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、紙幣を計数し、紙幣を所定枚数毎に結束して整理する紙幣整理機が記載されている。紙幣整理機は、紙幣取込部から筐体内に取り込んだ紙幣を、金種別に紙幣を集積する一時集積部を備えている。紙幣整理機は、一時集積部に所定枚数分の紙幣が集積されれば、複数の紙幣を一括して紙幣結束部に移送し、紙テープによって小束に施封する。
【先行技術文献】
【特許文献】
【０００３】
【特許文献１】特開２０１６−２２４８４５号公報
【発明の概要】
【発明が解決しようとする課題】
【０００４】
特許文献１に記載されているような紙葉類処理装置において、例えば、紙葉類が投入される投入部から紙葉類を集積する集積部へ搬送している紙葉類が、搬送路の途中で詰まるエラーが発生したときには、紙葉類処理装置は、処理を停止する。操作者は、エラーを解除するための操作を行う。具体的に操作者は、紙葉類処理装置の筐体内を開放し、搬送路上で詰まっている紙葉類、及び、搬送路上に残っている紙葉類を取り除くと共に、全ての集積部に集積されている紙葉類を取り出す。つまり、操作者は、エラーが発生して処理が停止した時点で、紙葉類処理装置の筐体内にある紙葉類を全て回収する。その後、操作者は、回収した紙葉類を、投入部に再投入する。紙葉類処理装置は、再投入された紙幣を投入部から繰り出すと共に、集積部に集積をする戻し処理を行う。戻し処理を行うことによって、紙葉類処理装置は、エラー発生時点の状態に戻り、紙葉類の処理を再開することが可能になる。
【０００５】
ところが、このエラー解除処理は、全ての集積部から紙葉類を回収するため、回収した紙葉類の数が多くなって戻し処理に要する時間が長くなってしまうという問題がある。
【０００６】
ここに開示する技術はかかる点に鑑みてなされたものであり、その目的とするところは、紙葉類処理装置のエラー発生後に行う、戻し処理の負担を軽減することにある。
【課題を解決するための手段】
【０００７】
戻し処理に要する時間を短縮するために、全ての集積部から紙葉類を回収するのではなく、エラーが発生して処理が停止した時点で、集積している紙葉類の数が確定している確定済の集積部の紙葉類は回収をせずに、集積している紙葉類の数が確定していない未確定の集積部の紙葉類のみを回収することが考えられる。未確定の集積部とは、例えばエラーが発生して処理が停止した時点で、集積部の入口途中に、紙葉類が止まっているような集積部である。
【０００８】
しかしながら、未確定の集積部の紙葉類のみを回収しようとしても、従来の紙葉類処理装置では、どの集積部が確定済の集積部で、どの集積部が未確定の集積部であるかが明確ではなかった。そのため、操作者は、誤った集積部の紙葉類を回収してしまう可能性がある。回収不要な集積部の紙葉類を回収する一方で、回収が必要な集積部の紙葉類を回収しないと、違算を招いてしまう恐れがある。
【０００９】
そこで、ここに開示する紙葉類処理装置は、回収対象の紙葉類を設定するようにした。
【００１０】
具体的に、ここに開示する技術は紙葉類処理装置に係る。この紙葉類処理装置は、投入された紙葉類を繰り出す投入部と、前記投入部から繰り出された前記紙葉類を識別する識別部と、前記識別部が識別を行った前記紙葉類を集積する、少なくとも一の集積部と、前記投入部、前記識別部及び前記集積部を制御することによって、前記紙葉類の処理を行うと共に、前記紙葉類の処理中にエラーが発生したときには、前記紙葉類の処理を停止する制御部と、を備え、前記制御部は、集積している紙葉類の数が確定していない未確定の集積部に集積されている紙葉類を、前記紙葉類の処理を再開する前に回収すべき回収対象に設定する。
【００１１】
この構成によると、紙葉類処理装置は、投入部に投入された紙葉類を、識別部によって識別をし、集積部に集積する。紙葉類の処理中にエラーが発生したときには、処理が停止する。制御部は、未確定の集積部を特定すると共に、未確定の集積部に集積されている紙葉類を回収対象に設定する。
【００１２】
ここで、紙葉類処理装置の集積部が一つであり、当該集積部が、集積している紙葉類の数が確定している確定済の集積部であれば、回収対象の紙葉類はない。また、集積部が複数のときでも、全ての集積部が確定済の集積部であれば、回収対象の紙葉類はない。
【００１３】
未確定の集積部を特定すると共に、未確定の集積部の紙葉類のみを回収対象に設定するため、回収対象の紙葉類の数が、必要最小限になる。未確定の集積部の紙葉類を投入部に投入して集積部に集積をすることにより、紙葉類処理装置を、エラー発生時点の状態に戻すことができる。戻し処理の負担が軽減する。戻し処理が終了すると、紙葉類の処理を再開することが可能になる。
【００１４】
前記制御部は、前記エラーの発生によって前記紙葉類の処理を停止した時点で、前記集積部の入口に設けたセンサが前記紙葉類を検知している場合、当該集積部は未確定の集積部であると判断する、としてもよい。
【００１５】
紙葉類の処理が停止した時点で、集積部の入口に設けたセンサが紙葉類を検知している場合、その紙葉類は、集積部に集積されている紙葉類（つまり、集積部に集積されている紙葉類としてカウントされている紙葉類）か、集積部に集積されていない紙葉類（つまり、集積部に集積されている紙葉類としてカウントされていない紙葉類）か、が不明である。よって、当該集積部は未確定の集積部と判断することができる。
【００１６】
前記制御部は、前記エラーが発生した後、前記エラーを解除する処理が終わるまでの間に、操作者がアクセスをした前記集積部を、未確定の集積部と判断する、としてもよい。
【００１７】
操作者は、エラーが発生した後に、必要に応じてエラーの解除処理（例えば搬送路において詰まっている紙葉類や、搬送路の途中に残っている紙葉類を手で取り除くこと）を行う。操作者は、エラーを解除するための処理を行っている最中に、集積部にアクセスをする可能性がある。操作者が集積部にアクセスをすると、当該集積部に集積されている紙葉類の数が変わった可能性があるため、エラーが発生した後、エラーを解除する処理が終わるまでの間に操作者がアクセスをした集積部は、未確定の集積部と判断することができる。例えば集積部における紙葉類の出口及び／又は入口に設けられた扉が開けられたことを各種のセンサが検知したときに、操作者が集積部にアクセスをしたと判断してもよいし、例えば集積部内に設けた透遮光センサの透光及び／又は遮光が変化したことを検知したときに、操作者が集積部にアクセスをしたと判断してもよい。
【００１８】
未確定と判断する集積部には、エラーが発生した時点では、確定済であった集積部が含まれる場合がある。エラーが発生した後、エラーの解除処理が終わるまでの間の、操作者による集積部へのアクセスを監視することによって、未確定の集積部を、適切に判断することができる。
【００１９】
前記集積部は装置筐体の内部に収容されており、前記紙葉類処理装置は、前記集積部に集積されている前記紙葉類を前記装置筐体の外に払い出す返却部と、前記集積部から前記返却部へ前記紙葉類を運搬する運搬部とを備え、前記運搬部は、前記エラーを解除する処理が終わった後、前記未確定の集積部に集積されている紙葉類を、前記返却部に運搬する、としてもよい。
【００２０】
この構成によると、回収対象の紙葉類は、運搬部によって自動的に、集積部から返却部へと運搬され、装置筐体の外に払い出される。回収対象の紙葉類を正確に回収することができる。また、操作者自らが、集積部から回収対象の紙葉類を、手で取り出す必要がないため、操作者の負担が軽減する。
【００２１】
前記制御部は、前記エラーを解除する処理が終わった後、前記未確定の集積部に関する情報を出力する、としてもよい。情報の出力は、例えば表示部に、未確定の集積部を特定する情報を表示してもよい。また、未確定の集積部を特定する情報を、音声によって出力してもよい。さらに、未確定の集積部を特定する情報を、紙等に印刷してもよい。加えて、未確定の集積部を特定する情報を、紙葉類処理装置とは別の端末が表示するよう、通信を行ってもよい。
【００２２】
こうすることで、操作者は、未確定の集積部を認識することができ、正しい集積部から回収対象の紙葉類を回収することができる。操作者は、出力された情報に基づいて、例えば手で集積部から回収対象の紙葉類を取り出してもよい。
【００２３】
前記集積部は、集積している前記紙葉類に操作者がアクセスすることを防止するロック機構を有しており、前記制御部は、前記エラーが発生すると、集積している紙葉類の数が確定している確定済の集積部をロック状態とすると共に、前記エラーが発生した時点で未確定の集積部をロック解除状態とする、としてもよい。
【００２４】
こうすることで、操作者が手で集積部から回収対象の紙葉類を取り出すときに、確定済の集積部はロックされているため、紙葉類を取り出すことができず、未確定の集積部からのみ、紙葉類を取り出すことができる。回収対象の紙葉類のみを正確に回収することができる。また、操作者は、確定済の集積部にアクセスすることができないため、確定済の集積部が、操作者のアクセスによって未確定の集積部に変わってしまうことが防止される。戻し処理を行う紙葉類の数が増えてしまうことを防止して、戻し処理の負担を軽減することができる。
【００２５】
前記集積部は、前記集積部への操作者のアクセスを検知するアクセスセンサを有しており、前記制御部は、前記エラーが発生してから前記エラーの解除処理が終わるまでの間に、前記確定済の集積部の前記アクセスセンサが検知したときには、警報を行う、としてもよい。警報は、音によって行ってもよいし、表示によって行ってもよいし、その両方によって行ってもよい。
【００２６】
こうすることで、操作者が確定済の集積部にアクセスすることによって確定済の集積部が未確定の集積部に変わってしまうことが防止される。
【００２７】
前記制御部は、前記未確定の集積部に集積されている回収対象の紙葉類が、前記投入部に再投入されたときには、前記回収対象の紙葉類を前記集積部に集積する戻し処理を実行する、としてもよい。
【００２８】
前述したように、この紙葉類処理装置は、未確定の集積部の紙葉類のみを回収するため、戻し処理の対象となる紙葉類の数が少なくなる。戻し処理の負担が軽減する。
【発明の効果】
【００２９】
以上説明したように、前記の紙葉類処理装置によると、戻し処理の負担を軽減することができる。
【図面の簡単な説明】
【００３０】
【図１】図１は、紙幣処理装置の外観を例示する斜視図である。
【図２】図２は、紙幣処理装置の内部構成を例示する図である。
【図３】図３は、投入部の構成を拡大して示す断面図である。
【図４】図４は、第１反転部及び第２反転部の構成を拡大して示す図である。
【図５】図５は、第２反転部に設けられたセンサの配置を説明する模式図である。
【図６】図６は、紙幣処理装置の内部における紙幣の搬送経路を示す図２対応図である。
【図７】図７は、確定済の集積部と未確定の集積部とを説明する模式図である。
【図８】図８は、回収対象の紙幣を返却する時に、表示部に表示される画面を例示する図である。
【図９】図９は、引き出し可能なユニットのつなぎ目に紙幣が残ってしまう例を説明する模式図である。
【図１０】図１０は、パトロール券による検査を要求する画面を例示する図である。
【図１１】図１１の（ａ）（ｂ）（ｃ）は、パトロール券の搬送によって、残留紙幣の有無を確認する処理例を説明する模式図である。
【図１２】図１２は、エラー現金戻し処理と分類処理とを一括して行うときの紙幣の搬送先を説明する図である。
【図１３】図１３は、エラー現金戻し処理と分類処理とを一括して行うときの、カウンタの遷移を例示する図である。
【図１４】図１４は、エラー現金戻し処理と分類処理とを一括して行うときであって、分類処理の明細を事前に入力したときの、カウンタの遷移を例示する図である。
【図１５】図１５は、第２反転部における紙幣の残留をセンサによって検知する構成を説明する図５対応図である。
【図１６】図１６は、紙幣の識別結果に応じて、紙幣の方向を変更する構成例を説明する図である。
【図１７】図１７は、正券束と損券束とで紙幣の方向を変更する例を説明する図である。
【図１８】図１８は、図２とは異なる構成の、紙幣処理装置の内部構成を示す図である。
【図１９】図１９は、操作者に対し、回収対象の紙幣を取り出す集積部の情報を示す画面を例示する図である。
【発明を実施するための形態】
【００３１】
以下、紙葉類処理装置の実施形態を図面に基づいて詳細に説明する。以下の説明は、紙葉類処理装置の一例である。図１は、紙葉類処理装置としての紙幣処理装置１の外観を示している。図２は、紙幣処理装置１の内部の構成を示している。紙幣処理装置１は、紙幣を識別及び計数し、種類別に分類をした上で、所定枚数の紙幣が帯封された帯封紙幣を作成する装置である。紙幣処理装置１は、紙幣整理機とも呼ばれる。紙幣処理装置１は、例えば入金取引において使用される場合がある。尚、以下においては、説明の便宜上、図１における紙面左手前を前、紙面右奥を後と呼ぶ場合がある。これに従うと、「前」は、図２における紙面左、「後」は、図２における紙面右である。
【００３２】
（紙幣処理装置の構成）
紙幣処理装置１には、帯封対象外の紙幣を集積する第１外部集積部１１及び第２外部集積部１２と、バラ紙幣が投入される投入部１３、リジェクト券を集積するリジェクト部１４、帯封された紙幣を出金するための投出部１５、及び、後述する端数紙幣を返却する返却部１６がそれぞれ設けられている。
【００３３】
投入部１３は、筐体１０の前面の上部に設けられている。投入部１３の前面は筐体１０の外部に開口している。操作者は投入部１３の内部にバラ紙幣を、横長の向きで投入することができる。図３は、投入部１３の構成を拡大して示している。投入部１３は、複数枚の紙幣ＢＮを、積み重なった状態で保持することができる。投入部１３には、例えば、様々な金種を含む紙幣ＢＮが投入される。投入部１３は、保持している紙幣ＢＮを、繰り出しローラ１３１によって一枚一枚、筐体１０の内部へ繰り出す。投入部１３の構成の詳細は、後述する。
【００３４】
第１外部集積部１１及び第２外部集積部１２は、紙幣処理装置１の筐体１０の上部に、前後に並んで設けられている。第１外部集積部１１は、第２外部集積部１２よりも後側に配設されている。第１外部集積部１１及び第２外部集積部１２はそれぞれ、紙幣ＢＮの取出口が筐体１０の外部に開口している。第１外部集積部１１及び第２外部集積部１２はそれぞれ、複数枚の紙幣ＢＮを集積することができる。操作者は、第１外部集積部１１及び第２外部集積部１２に集積されている紙幣ＢＮを、手で取り出すことができる。
【００３５】
リジェクト部１４は  筐体１０の前面において、投入部１３の下側に設けられている。リジェクト部１４の前面は筐体１０の外部に開口している。リジェクト部１４は、複数枚の紙幣ＢＮを集積することができる。操作者は、リジェクト部１４に集積されている紙幣ＢＮを、手で取り出すことができる。
【００３６】
投出部１５は、筐体１０の前面の下部に開口している。帯封紙幣は、投出部１５のスロープを通って筐体１０の外に投出される。投出部１５から投出された帯封紙幣は、予め置かれた容器等に入る。
【００３７】
返却部１６は、筐体１０の上部に設けられている。返却部１６は、紙幣が載るトレイ１６１を有している。トレイ１６１は、図２に実線及び一点鎖線で示すように、前後方向に移動する。紙幣を載せたトレイ１６１が、一点鎖線に示すように前進すると、操作者は、トレイ１６１から紙幣を、手で取り出すことができる。
【００３８】
紙幣処理装置１の上部には、表示部１７が設けられている。表示部１７は、返却部１６の上側に配設されている。表示部１７は、タッチパネルからなる。表示部１７は、操作者が操作を行うための操作部を兼用する。表示部１７は、紙幣処理装置１が行っている紙幣の処理状況等の情報を表示する。操作者が表示部１７に表示されている画面に応じて操作を行うことにより、紙幣処理装置１に関する各種の設定を行ったり、紙幣処理装置１に各種の処理を実行させたりすることができる。
【００３９】
図２に示すように、紙幣処理装置１は、筐体１０の内部に、識別部１８、第１反転部２１、第２反転部２２、搬送部３、第１〜第５集積部５１〜５５、運搬部６、帯封部７、制御部４１、及び、記憶部４２を備えている。
【００４０】
搬送部３は、紙幣の搬送方向の順に、投入部１３から、識別部１８、第１反転部２１、リジェクト部１４、第２反転部２２、第１〜第５集積部５１〜５５、第１外部集積部１１及び第２外部集積部１２までの間において、バラ紙幣の搬送を行う。搬送部３は、筐体１０の内部に配設された搬送路を有している。搬送路は、詳細な図示は省略するが、多数のローラ、複数のベルト、これらを駆動するモータ、搬送される紙幣を検出する通過センサ及び複数のガイドの組み合わせによって構成されている。搬送部３は、所定の間隔を設けて、紙幣を一枚一枚、搬送路に沿って搬送する。搬送部３はまた、紙幣ＢＮの長手の縁を前にして、紙幣ＢＮを搬送する。
【００４１】
識別部１８は、紙幣ＢＮの搬送方向について、投入部１３の下流に設けられている。より詳細に、投入部１３の後側には、紙幣ＢＮを水平方向に搬送する搬送路が設けられており、識別部１８は、当該搬送路に配設されている。識別部１８は、筐体１０の内部において、投入部１３の後側でかつ、第１外部集積部１１及び第２外部集積部１２の下側に位置している。識別部１８は、搬送路に沿って搬送される紙幣ＢＮの金種、真偽、表裏、向き、正損、新旧、搬送状態等を識別する。
【００４２】
ここで、識別部１８が識別を行う紙幣ＢＮの方向について説明をする。紙幣ＢＮの方向は、紙幣ＢＮの表裏と向きとの組み合わせによって、図１６に示すように、Ａ方向、Ｂ方向、Ｃ方向及びＤ方向の四つの方向に定まる。紙幣ＢＮに描かれた肖像画を基準とした上下の方向を、紙幣ＢＮの天地方向と呼ぶ。天地方向に直交する方向を、紙幣ＢＮの左右方向と呼ぶ。長手の縁を前にして搬送される紙幣ＢＮにおいて、天地方向は、搬送方向に一致する。左右方向は、搬送方向に直交する。尚、以下の説明において、搬送方向に直交する方向を、搬送幅方向と呼ぶ場合がある。
【００４３】
具体的に、Ａ方向は、紙幣ＢＮが表向きでかつ、搬送方向に対して紙幣ＢＮの天地方向が従う方向である。Ｂ方向は、紙幣ＢＮが表向きでかつ、搬送方向に対して紙幣ＢＮの天地方向が逆らう方向である。Ｃ方向は、紙幣ＢＮが裏向きでかつ、搬送方向に対して紙幣ＢＮの天地方向が逆らう方向である。Ｄ方向は、紙幣ＢＮが裏向きでかつ、搬送方向に対して紙幣ＢＮの天地方向が従う方向である。
【００４４】
第１反転部２１は、識別部１８の識別結果に応じて、紙幣ＢＮの表裏及び天地方向の両方を、選択的に反転するよう構成されている。第１反転部２１は、図４に拡大して示すように、紙幣ＢＮの表裏及び天地方向を反転させるスイッチバック方式の反転パス２１１と、紙幣ＢＮの表裏及び天地方向を反転することなく通過させるバイパス２１２と、紙幣ＢＮを、反転パス２１１又はバイパス２１２に選択的に送る分岐爪２１３と、を有している。第１反転部２１は、搬送幅方向の向きを変えずに、紙幣ＢＮの表裏と搬送方向の向き（つまり、天地方向の向き）との両方を反転することができる。
【００４５】
制御部４１は、識別部１８の識別結果に応じて第１反転部２１の分岐爪２１３を動かす。このことによって、表裏及び天地方向の向きを反転する必要がある紙幣ＢＮは、反転パス２１１を通過し、表裏及び天地方向の向きを反転する必要がない紙幣ＢＮは、バイパス２１２を通過する。反転パス２１１を通過した紙幣ＢＮは、表裏及び天地方向の向きが反転する。バイパス２１２を通過した紙幣ＢＮは、表裏も天地方向の向きも反転しない。第１反転部２１は、紙幣ＢＮの少なくとも表裏を揃えることができる。
【００４６】
第１反転部２１は、図２に示すように、識別部１８の下側に配設されている。紙幣ＢＮは、第１反転部２１を、紙幣処理装置１の後方から前方に向かう略水平方向に通過する。第１反転部２１の前側には、リジェクト部１４が配設されている。リジェクト部１４につながる搬送路１４１は、紙幣ＢＮの搬送方向について第１反転部２１の下流から分岐している。第１反転部２１は、図４に示すように、紙幣ＢＮを、バイパス２１２又はリジェクト部１４に選択的に送る分岐爪２１４を有している。制御部４１は、識別部１８の識別結果に応じて、分岐爪２１４を動かす。このことによって、リジェクト券と識別された紙幣ＢＮは、実質的には第１反転部２１を通らないで、リジェクト部１４に搬送される。
【００４７】
第２反転部２２は、紙幣ＢＮの搬送幅方向の向きを、選択的に反転するよう構成されている。第２反転部２２は、図４に拡大して示すように、紙幣ＢＮの搬送幅方向の向きを反転させる反転パス２２１と、紙幣ＢＮの搬送幅方向の向きを反転することなく通過させるバイパス２２２と、紙幣ＢＮを、反転パス２２１又はバイパス２２２に選択的に送る分岐爪２２３と、を有している。反転パス２２１には、紙幣ＢＮを反転する反転機構２２４が配設されている。反転機構２２４は、この構成例では、紙幣ＢＮの搬送幅方向の向きと表裏との両方を反転するよう構成されている。反転機構２２４は、紙幣ＢＮの搬送方向に直交する搬送幅方向（つまり、紙幣ＢＮの左右方向）の向きと、紙幣ＢＮの表裏との両方を反転することができる。第２反転部２２は、スイッチバック方式の第１反転部２１とは機能が相違する。反転機構２２４の構成の詳細は省略するが、反転機構２２４は、様々な公知の構成を採用することができる。
【００４８】
制御部４１は、識別部１８の識別結果に応じて、分岐爪２２３を動かす。このことによって、左右方向の向きを反転する必要がある紙幣ＢＮは、反転パス２２１を通過し、左右方向の向きを反転する必要がない紙幣ＢＮは、バイパス２２２を通過する。反転パス２２１を通過した紙幣は、紙幣ＢＮの左右方向の向き及び表裏が反転する。バイパス２２２を通過した紙幣は、紙幣ＢＮの左右方向の向きも、表裏も反転しない。反転機構２２４の下流において、反転パス２２１とバイパス２２２とは合流する。この紙幣処理装置１は、反転部として、第１反転部２１と第２反転部２２との二種類の反転部を備えることにより、第１反転部２１及び第２反転部２２を通過した紙幣ＢＮの表裏及び天地方向の向きの両方を揃えることができる。
【００４９】
図５は、第２反転部２２の反転機構２２４の構成を模式的に描いている。図５の紙面左側が、反転機構２２４に紙幣ＢＮが入る入口側であり、紙面右側が、反転機構２２４から紙幣ＢＮが出る出口側である。反転機構２２４は、紙幣ＢＮを捻りながら搬送するよう構成されているため、反転機構２２４内に、紙幣ＢＮを検知するセンサを配設することが難しい。そのため、反転機構２２４の入口部と、出口部とのそれぞれに、紙幣ＢＮを検知するセンサ２２４１、２２４２、２２４３、２２４４を配設している。より詳細に、反転機構２２４の入口部には、一つのセンサ２２４１が配設されている。センサ２２４１は、紙幣ＢＮの搬送路における搬送幅方向の中央、又は、略中央に配設されている。反転機構２２４の出口側には、図５の構成例では、三つのセンサ２２４２、２２４３、２２４４が配設されている。センサ２２４２、２２４３、２２４４は、紙幣ＢＮの搬送路における搬送幅方向に対して、所定の間隔を空けて配設されている。反転機構２２４の出口部に複数の通過センサ２２４２、２２４３、２２４４を配設することによって、反転機構２２４に、紙幣ＢＮ又は紙幣ＢＮの一部が残留したことを検知することが可能になる。反転機構２２４内における紙幣ＢＮの残留検知に関しては、後で詳述する。
【００５０】
第２反転部２２は、第１反転部２１及びリジェクト部１４の下側に配設されている。従って、識別部１８、第１反転部２１及び第２反転部２２は、上下方向に並んでいる。紙幣ＢＮは、第２反転部２２を、紙幣処理装置１の前方から後方に向かう略水平方向に通過する。紙幣ＢＮは、識別部１８から、第１反転部２１を通って第２反転部２２に至るまでの間において、紙幣処理装置１の前後方向に蛇行するように搬送される。
【００５１】
第２反転部２２は、構造が複雑になるため、第１反転部２１と比較して、紙幣ＢＮの搬送方向の長さが長くなる。紙幣ＢＮが水平方向に搬送されるように第２反転部２２を設けることによって、紙幣処理装置１を高さ方向に小型化することができる。
【００５２】
また、第１反転部２１と第２反転部２２とのそれぞれにおいて紙幣ＢＮは水平方向に紙幣が搬送されるが、これら第１反転部２１及び第２反転部２２を上下方向に並べて配設することによって、第１反転部２１の前側にリジェクト部１４を配置することができる。紙幣処理装置１の内部のスペース効率が向上する結果、紙幣処理装置１の小型化に有利になる。
【００５３】
第２反転部２２はまた、ユニット化している。第２反転部２２のユニットは、図２に一点鎖線で示すように、紙幣処理装置１の前方に向かって引き出し可能に構成されている。操作者は、手で第２反転部２２のユニットを、筐体１０の前方に引き出すことができる。第２反転部２２において紙幣ＢＮの詰まり等が生じたときに、操作者は、第２反転部２２を前方に引き出して、詰まっている紙幣ＢＮを、第２反転部２２から容易に取り出すことができる。このときに、紙幣処理装置１は、表示部１７に、第２反転部２２のユニットの引き出しを操作者に指示する誘導画面を表示する。紙幣処理装置１のメンテナンス性が向上する。
【００５４】
第２反転部２２のユニットの引き出しに関し、紙幣処理装置１にロック機構を設けてもよい。第２反転部２２において紙幣ＢＮの詰まりが発生し、紙幣処理装置１を停止したときにロックを解除することによって、第２反転部２２のユニットを、引き出すことができるようにしてもよい。尚、ロック機構は、機械式のロック機構としてもよいし、ソレノイドを含む電気式のロック機構としてもよい。
【００５５】
前述したように、第２反転部２２において、紙幣ＢＮは水平方向に搬送されるよう構成されているため、前方に向かって引き出される第２反転部２２のユニットは、上下方向にコンパクトになる。第２反転部２２を前方に向かって引き出しやすくなると共に、詰まっている紙幣ＢＮも取り出しやすくなる。このこともまた、紙幣処理装置１のメンテナンス性の向上に有利になる。
【００５６】
第１〜第５集積部５１〜５５は、識別部１８、第１反転部２１及び第２反転部２２の後側に配設されている。第１〜第５集積部５１〜５５は、上下方向に並んで配設されている。第１〜第５集積部５１〜５５は、帯封対象の紙幣ＢＮを、例えば金種毎に集積する。後述するように、操作者は、第１〜第５集積部５１〜５５に集積する紙幣の種類を、予め設定することができる。
【００５７】
第２反転部２２の下流において紙幣ＢＮを搬送する搬送路は、第１〜第５集積部５１〜５５の前側でかつ、識別部１８、第１反転部２１及び第２反転部２２の後側において、第１〜第５集積部５１〜５５に沿うように上下方向に伸びて配設されている。上下方向に伸びる搬送路から分岐した五つの分岐路が、第１〜第５集積部５１〜５５のそれぞれに接続されている。紙幣ＢＮは、第１〜第５集積部５１〜５５のそれぞれに対し、前側から投入される。第１〜第５集積部５１〜５５はそれぞれ、前側に紙幣ＢＮの入口を有している。入口から投入された紙幣ＢＮは、第１〜第５集積部５１〜５５のそれぞれにおいて集積される。
【００５８】
図示は省略するが、各分岐路の分岐箇所には、紙幣ＢＮの搬送方向を切り替える分岐爪が設けられている。制御部４１は、識別部１８の識別結果に応じて、各分岐爪を動かす。このことによって、紙幣ＢＮは、第１〜第５集積部５１〜５５に、選択的に投入される。
【００５９】
上下方向に伸びる搬送路の下流側は、途中で二つに分岐して、第１外部集積部１１及び第２外部集積部１２のそれぞれに接続されている。第１外部集積部１１及び第２外部集積部１２は、第２反転部２２の下流につながっている。分岐箇所には、図示は省略するが、分岐爪が配設されている。制御部４１は、識別部１８の識別結果に応じて、分岐爪を動かすことにより、紙幣ＢＮは、第１外部集積部１１及び第２外部集積部１２に、選択的に投入される。
【００６０】
運搬部６は、上下方向に並んだ第１〜第５集積部５１〜５５の後側に配設されている。運搬部６は、紙幣を掴むアーム部６１と、アーム部６１を上下方向に往復移動させるガイド部６２とを備えている。ガイド部６２は、上下方向に伸びている。アーム部６１は、ガイド部６２に沿って上下方向に移動をする。アーム部６１は、第１〜第５集積部５１〜５５それぞれの高さ位置に位置づけられ、第１〜第５集積部５１〜５５に集積されている紙幣を、後方に向かって取り出す。第１〜第５集積部５１〜５５はそれぞれ、後側に紙幣ＢＮの出口を有している。集積部から紙幣を取り出したアーム部６１は、返却部１６あるいは帯封部７の後方へ移動し、掴んでいる紙幣を返却部１６あるいは帯封部７へ受け渡す。
【００６１】
帯封部７は、第２反転部２２の下側に配設されている。帯封部７は、運搬部６の下端部に位置している。運搬部６は、第１〜第５集積部５１〜５５から取り出した紙幣ＢＮを、帯封部７に運搬する。帯封部７の構成の詳細な図示は省略するが、帯封部７は、公知の様々な構成を採用することができる。帯封部７は、例えば紙幣ＢＮの束の外周囲に帯封紙を巻き付けることによって帯封を行うようにしてもよい。帯封部７はまた、帯封紙によって形成した輪の中に紙幣ＢＮの束を挿入することによって帯封を行うようにしてもよい。
【００６２】
帯封部７の前側には、ベルト式の第２運搬部７２が設けられている。第２運搬部７２は、帯封部７が帯封をした帯封紙幣を、前方に向かって投出部１５まで搬送する。帯封紙幣は、投出部１５のスロープを通って筐体１０の外に投出される。
【００６３】
後述するように紙幣処理装置１が分類処理を行った際、帯封枚数に至らずに第１〜第５集積部５１〜５５に紙幣ＢＮが残ってしまう場合がある。運搬部６は、第１〜第５集積部５１〜５５に残った端数紙幣を返却部１６へ運搬する。
【００６４】
尚、紙幣処理装置１は、その運用の一つとして残置運用が可能に構成されている。残置運用は、帯封枚数に至らずに第１〜第５集積部５１〜５５に残った端数紙幣を、返却部１６に返却せずに、そのまま第１〜第５集積部５１〜５５に残しておき、次回の分類処理の際に、第１〜第５集積部５１〜５５に新たに集積された紙幣ＢＮと共に、紙幣ＢＮの帯封等を行う運用である。残置運用は、紙幣を、複数の取引にまたがって取り扱う運用である。
【００６５】
制御部４１は、図示は省略するが、第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、帯封部７、及び、記憶部４２が、信号の授受可能に接続されている。制御部４１は、前述した第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７に、記憶部４２に記憶している各種の情報やプログラムに基づいて制御信号を出力する。このことにより、紙幣処理装置１は、紙幣ＢＮを識別及び計数し、種類別に分類をした上で、所定枚数毎の帯封紙幣を作成する分類処理を行う。
【００６６】
記憶部４２はまた、第１〜第５集積部５１〜５５のそれぞれに現時点で集積されている紙幣ＢＮの枚数を記憶する。尚、紙幣ＢＮの枚数には、残置運用時に、前回及び前回よりも前の分類処理において、第１〜第５集積部５１〜５５のそれぞれに集積された紙幣ＢＮの枚数も含まれる。
【００６７】
（投入部の構成）
図３にのみ示すが、投入部１３は、紙幣を押さえる札押さえ１３２を有している。札押さえ１３２は、実線及び一点鎖線で示すように、投入部１３内を上下方向に移動するよう構成されている。札押さえ１３２は、投入部１３において積み重なった紙幣ＢＮが所定量以下になれば、紙幣ＢＮを押さえる。投入部１３は、紙幣ＢＮが所定量以下になったことを検知するセンサ１３３を有している。センサ１３３は、投入部１３において積み重なっている紙幣ＢＮの高さを検知するセンサとしてもよい。センサ１３３は、例えば、投入部１３の側壁における所定高さ位置に配設されかつ、積み重なった紙幣ＢＮによって遮光されるよう構成された透遮光センサとしてもよい。
【００６８】
操作者が、空の投入部１３に紙幣を投入するときには、札押さえ１３２は、最上位位置に位置している（図３の一点鎖線参照）。札押さえ１３２が最上位位置に退避しているため、操作者は投入部１３に紙幣ＢＮを投入しやすい。尚、札押さえ１３２は、紙幣処理装置１の処理が終了して待機するときには、自動的に上昇をして、最上位位置に位置する。
【００６９】
繰り出しローラ１３１が紙幣ＢＮの繰り出しを開始し、投入部１３内において積み重なっている紙幣が、所定量以下に減ると、札押さえ１３２は、最上位位置から下降し、積み重なった紙幣ＢＮを、上から押さえる。札押さえ１３２は、積み重なっている紙幣ＢＮの量に応じて下降する。紙幣ＢＮが下向きに押さえられることによって、積み重なった紙幣ＢＮの量が減って自重が軽くなったときでも、繰り出しローラ１３１は、紙幣ＢＮを安定して繰り出すことができる。
【００７０】
投入部１３に紙幣ＢＮが積み重なっているときに、操作者は、投入部１３に紙幣ＢＮを追加投入することができる。札押さえ１３２は、紙幣ＢＮを押さえているときでも、手動によって上昇させることが可能に構成されている。操作者は、札押さえ１３２を最上位位置に位置づけた後に、追加する紙幣ＢＮを、積み重なっている紙幣ＢＮの上に、積み重ねる。
【００７１】
前述したように、札押さえ１３２は、センサ１３３の検知結果に基づいて自動的に、最上位位置から下降するよう構成されている。一方、紙幣ＢＮの追加投入をしようとする操作者は、札押さえ１３２が、いつ下降を開始するかわからない。また、紙幣ＢＮの追加投入をしようとしているときに、札押さえ１３２が最上位位置から下降を開始してしまうと、紙幣ＢＮの追加投入がしにくくなる。また、下降している札押さえ１３２と、操作者の手や指が干渉してしまう恐れもある。そこで、この紙幣処理装置１では、札押さえ１３２が下降を開始するときには、操作者に対して、そのことを知らせるように構成されている。
【００７２】
札押さえ１３２の動作の事前通知は、具体的には、以下のように構成してもよい。つまり、札押さえ１３２が下降を開始するときに、少しだけ（例えば１ｃｍ程度）下降をして止まるプレ動作を行い、その後、積み重なった紙幣ＢＮに当たるまで下降をしてもよい。
【００７３】
また、札押さえ１３２が下降を開始する直前に、警告音又は音声を発してもよい。さらに、投入部１３の付近に設けた照明（例えばＬＥＤ）を、札押さえ１３２が下降を開始する直前に、点灯又は点滅してもよい。加えて、これから札押さえ１３２が下降を開始することを、表示部１７に表示してもよい。表示部１７の表示内容としては、例えば札押さえ１３２の下降を意味する下向きの矢印を表示すると共に、下降を開始するまでのカウントダウンを表すように、矢印の長さを変化させてもよい（例えば矢印の長さを長くしてもよい）。
【００７４】
また、札押さえ１３２の動作前の事前通知から札押さえ１３２が下降を開始するまでの間に、センサ１３３が遮光を検知したときには、制御部４１は、紙幣ＢＮが追加投入されたと判断して、札押さえ１３２の下降をキャンセルしてもよい。また、表示部１７に、札押さえ１３２の下降を行わないための操作ボタンを設け、操作者が当該操作ボタンを操作したときには、札押さえ１３２の下降を行わないようにしてもよい。
【００７５】
さらに、前述したように、紙幣処理装置１の処理が終了して待機するときに、札押さえ１３２は、自動的に上昇をして最上位位置に位置するが、札押さえ１３２が上昇を開始するときにも、前述した、事前通知を行うようにしてもよい。つまり、札押さえ１３２が上昇を開始するときに、少しだけ（例えば１ｃｍ程度）上昇をして止まるプレ動作を行い、その後、最上位位置まで、札押さえ１３２が上昇をしてもよい。また、札押さえ１３２が上昇を開始する直前に、警告音や音声を発したり、照明を、点灯又は点滅したりしてもよい。さらに、これから札押さえ１３２が上昇を開始することを、表示部１７に表示してもよい。表示部１７の表示内容としては、例えば札押さえ１３２の上昇を意味する上向きの矢印を表示すると共に、上昇を開始するまでのカウントダウンを表すように、矢印の長さを変化させてもよい（例えば矢印の長さを長くしてもよい）。
【００７６】
札押さえ１３２の動作の事前通知を行うことによって、紙幣処理装置１の操作者の操作性を向上させることができる。
【００７７】
（紙幣処理装置の分類処理）
図６は、紙幣処理装置１における紙幣ＢＮの搬送経路を示している。操作者は、表示部１７に表示される設定画面において操作を行うことにより、所望の分類パターンを設定することができる。
【００７８】
分類パターンの一例として、帯封対象の紙幣を、一万円、五千円、千円、及び二千円の新券かつ正券としてもよい。そのときに、第１集積部５１及び第２集積部５２は、一万円の新券かつ正券を集積し、第３集積部５３は、五千円の新券かつ正券を集積し、第４集積部５４は、千円の新券かつ正券を集積し、第５集積部５５は、二千円の正券を集積するとしてもよい。
【００７９】
ここで、「新券」とは、現時点で発行されているタイプの紙幣であり、「旧券」とは、現時点で発行されていない古いタイプの紙幣である。また、「正券」とは、破れや汚れが少なくて、市場に流通させても問題のない紙幣であり、「損券」とは、破れや汚れがあって、市場に流通させることが好ましくない紙幣である。
【００８０】
帯封対象の紙幣を、一万円、五千円、千円、及び二千円の新券かつ正券とした場合、帯封対象ではない紙幣は、損券や旧券等である。第１外部集積部１１又は第２外部集積部１２は、損券及び旧券等を集積してもよい。第１外部集積部１１又は第２外部集積部１２は、全金種を集積してもよい。
【００８１】
以下、前述した分類パターンに従う紙幣の搬送経路について、図６を参照しながら説明をする。紙幣処理装置１は、分類処理の実行に際し、紙幣ＢＮの表裏及び天地方向の向きの両方を揃える。尚、紙幣処理装置１は、分類処理の実行に際し、紙幣ＢＮの表裏及び天地方向の向きの両方を揃えるモードと、紙幣ＢＮの表裏のみを揃えるモードと、紙幣ＢＮの表裏及び天地方向の向きを揃えないモードとを切り替えることが可能に構成してもよい。
【００８２】
投入部１３は、投入された紙幣ＢＮを一枚ずつ繰り出す。搬送部３は、図６に実線の矢印で示すように、投入部１３から識別部１８へ紙幣ＢＮを搬送する。識別部１８は、紙幣ＢＮの識別を行う。
【００８３】
搬送部３は、識別部１８を通過した紙幣を、実線の矢印で示すように、第１反転部２１に搬送する。リジェクト券以外の紙幣ＢＮは、第１反転部２１の反転パス２１１、又は、バイパス２１２を通った後、実線の矢印で示すように、第２反転部２２に搬送される。一方、リジェクト券は、第１反転部２１を実質的にバイパスして、点線の矢印で示すように、リジェクト部１４に搬送される。リジェクト券は、リジェクト部１４に集積される。
【００８４】
このように、リジェクト部１４につながる搬送路１４１は、第２反転部２２よりも上流から分岐していると共に、リジェクト券は、第１反転部２１の反転パス２１１及びバイパス２１２も通らない。リジェクト券を速やかにリジェクト部１４に搬送することができる。また例えば、斜行や重送等の搬送異常紙幣や、折れや破れ等を有する状態の悪い紙幣を含むリジェクト券が、第１反転部２１、又は、第２反転部２２において詰まってしまうことを、未然に回避することができる。
【００８５】
紙幣ＢＮは、第２反転部２２の反転パス２２１、又は、バイパス２２２を通る。第２反転部２２を通過して紙幣ＢＮの表裏及び天地方向の向きは揃っている。第２反転部２２を通過した紙幣ＢＮの内、帯封対象の紙幣ＢＮは、実線の矢印で示すように、金種毎に、第１〜第５集積部５１〜５５に搬送される。ここで、一万円の新券かつ正券は、第１集積部５１及び第２集積部５２の一方に搬送される。具体的には、帯封枚数（例えば１００枚）に至るまでは、二つの集積部５１、５２の内の一方の集積部に紙幣ＢＮが集積される。一方の集積部に帯封枚数の紙幣ＢＮが集積されると、他方の集積部における紙幣ＢＮの集積が開始する。帯封枚数に至った紙幣は、運搬部６が集積部から取り出して帯封部７へと運搬するが、第１集積部５１及び第２集積部５２の複数の集積部を用いると、紙幣ＢＮを集積部から取り出している間にも、もう一つの集積部に紙幣を集積することができる。紙幣ＢＮの分類処理を中断することなく、紙幣ＢＮの集積を継続することができるため、処理時間を短縮することができる。
【００８６】
第１〜第５集積部５１〜５５の内、いずれかの集積部において帯封枚数（通常は、１００枚）の紙幣ＢＮが集積されると、運搬部６が、集積部から紙幣ＢＮを取り出すと共に、取り出した紙幣ＢＮを、帯封部７へと運搬する（図６の二点鎖線の矢印参照）。帯封部７は、紙幣ＢＮの帯封を行い、帯封紙幣は、投出部１５を通じて、紙幣処理装置１の筐体１０から外に投出される。
【００８７】
また、第２反転部２２を通過した紙幣ＢＮの内、帯封対象外の紙幣ＢＮ（つまり、損券及び旧券等）は、図６に一点鎖線で示すように、第１外部集積部１１又は第２外部集積部１２に搬送される。損券及び旧券等は、第１外部集積部１１又は第２外部集積部１２に集積される。
【００８８】
ここで、第１〜第５集積部５１〜５５、及び、第１及び第２外部集積部１１、１２は各々、集積している紙幣ＢＮの枚数をカウントするカウンタと、第１〜第５集積部５１〜５５、及び、第１及び第２外部集積部１１、１２に設けられた入口を紙幣ＢＮが通過したことを検知するセンサとを有している。カウンタは、記憶部４２によって構成されている。センサは、例えば、透遮光センサとしてもよい。第１〜第５集積部５１〜５５、及び、第１及び第２外部集積部１１、１２のセンサが、紙幣ＢＮが入口を完全に通過したことを検知すれば、第１〜第５集積部５１〜５５、及び、第１及び第２外部集積部１１、１２のカウンタが加算される。
【００８９】
投入部１３に投入された紙幣ＢＮが全て紙幣処理装置１に取り込まれた後、帯封枚数に至らずに第１〜第５集積部５１〜５５に残った端数紙幣は、返却部１６に返却される。具体的には、図６に破線の矢印で示すように、運搬部６が、端数紙幣を第１〜第５集積部５１〜５５から取り出すと共に、返却部１６のトレイ１６１に搬送する。端数紙幣を載せたトレイ１６１が前進することによって、端数紙幣が、自動的に操作者に返却される。端数紙幣を、紙幣処理装置１の外に払い出すことによって、端数紙幣の取り忘れを防止することができる。
【００９０】
尚、残置運用を行う場合は、第１〜第５集積部５１〜５５に残った端数紙幣は、そのまま、第１〜第５集積部５１〜５５に残される。記憶部４２は、第１〜第５集積部５１〜５５のそれぞれに集積している紙幣ＢＮの枚数を記憶する。次回の分類処理の際には、新たな紙幣ＢＮが、第１〜第５集積部５１〜５５に集積されている紙幣ＢＮの上に集積される。
【００９１】
（搬送エラー発生時の制御）
紙幣処理装置１が紙幣ＢＮの分類処理を行っている最中に、紙幣ＢＮが搬送路において詰まる等のエラーが発生すると、制御部４１は処理を停止する。紙幣処理装置１がエラーから復旧するには、その後、操作者がエラーの解除を行うエラー解除処理と、紙幣処理装置１の集積部等から紙幣ＢＮを回収する回収処理と、回収した紙幣ＢＮを、もとの集積部に戻すエラー現金戻し処理（以下、単に戻し処理という）とを行う必要がある。
【００９２】
エラー解除処理は、操作者が、紙幣処理装置１の筐体１０を開けて、搬送路において詰まっている紙幣ＢＮを手で取り除く処理である。制御部４１は、紙幣ＢＮが詰まっている箇所、及び、詰まっている紙幣を取り除くための手順を、表示部１７に表示してもよい。操作者はまた、紙幣処理装置１が処理を停止したときに、搬送路において残っている紙幣ＢＮを全て、手で取り除く。
【００９３】
尚、紙幣処理装置１が処理を停止したときに、集積部の入口において止まっている紙幣ＢＮは、操作者が手で取り除いてもよいし、当該集積部に集積させてもよい。後述するように、集積部の入口において紙幣ＢＮが止まっている集積部は、未確定の集積部であり、当該集積部に集積されている紙幣ＢＮは、回収処理において回収される。
【００９４】
エラー解除処理が終わると、紙幣ＢＮを回収する回収処理を行う。従来の紙幣処理装置においては、紙幣処理装置の全ての集積部について、集積されている紙幣ＢＮを回収対象の紙幣としていた。回収した紙幣は、戻し処理において、投入部１３に投入され、識別部１８による識別の後、もとの集積部に集積される。紙幣処理装置内の全ての紙幣を回収対象の紙幣にしてしまうと、戻し処理時に紙幣処理装置に取り込んで識別及び集積を行う紙幣の数が増えてしまうため、戻し処理に要する時間が長くなってしまうという問題がある。
【００９５】
そこで、この紙幣処理装置１では、回収処理において回収する紙幣ＢＮを必要最小限にすることによって、戻し処理の負担を軽減するようにしている。具体的にこの紙幣処理装置１では、集積している紙幣ＢＮの数が確定していない未確定の集積部の紙幣ＢＮのみを回収対象にする。未確定の集積部は、集積している紙幣ＢＮの数が確定していないため、紙幣ＢＮの計数をもう一度行う必要がある。未確定の集積部の紙幣ＢＮのみを回収対象とすることにより、回収対象の紙幣ＢＮの数が少なくなるから、戻し処理の負担が軽減する。
【００９６】
未確定の集積部とは、エラーの発生によって紙幣処理装置１の処理が停止したときに、集積部の入口において紙幣ＢＮが止まっている集積部である。当該紙幣ＢＮが、集積部に集積された紙幣としてカウントされたか否かが不明なためである。ここで、当該集積部に、前回及び前回よりも前の分類処理において集積された紙幣ＢＮが存在しているか否かは問わない。集積部に、前回以前の分類処理において集積された紙幣ＢＮが存在していても、存在していなくても、集積部の入口において紙幣ＢＮが止まっている集積部は、未確定の集積部となる。
【００９７】
また、集積部の入口において紙幣ＢＮが止まっていない集積部であっても、エラー解除処理中や回収処理中に、操作者が集積部の中にアクセスをした、又は、アクセスをしようとした集積部は、未確定の集積部である。操作者がアクセスをすると、集積部に集積している紙幣ＢＮの数が変わってしまう可能性があるためである。ここにおいても、当該集積部に、前回以前の分類処理において集積された紙幣ＢＮが存在しているか否かは問わない。従って、今回の分類処理においては、（エラーが発生するまでに）紙幣ＢＮが集積されておらず、前回以前の分類処理において集積された紙幣ＢＮのみが集積されている集積部であっても、操作者がアクセスをすることにより、未確定の集積部になる。
【００９８】
次に、図７に示す具体例を参照しながら、エラー発生後のエラー解除処理、及び、回収処理について説明する。図７は、紙幣処理装置１において、紙幣ＢＮが詰まるエラーが発生したときの、紙幣処理装置１の内部の状態を模式的に示している。図７において紙幣ＢＮ１は、搬送路において詰まった紙幣である。紙幣ＢＮ２は、エラーの発生によって紙幣処理装置１が処理を停止したときに、搬送路において残っている紙幣である。紙幣ＢＮ３は、紙幣処理装置１が処理を停止したときに、第３集積部５３の入口において止まった紙幣である。
【００９９】
図７の例において、操作者はエラーの原因である紙幣ＢＮ１を、手で取り出す。操作者はまた、搬送路に残っている紙幣ＢＮ２も、手で取り出す。紙幣ＢＮ３は、操作者が手で取りだしてもよいし、リセット操作後に紙幣処理装置１が初期動作を行う際に第３集積部５３に集積させてもよい。
【０１００】
図７の例においては、第３集積部５３が未確定の集積部である。ここで、第１〜第５集積部５１〜５５の前側には、紙幣ＢＮが入口を通過することを検出するセンサ５１１、５２１、５３１、５４１、５５１が配設されている。センサ５１１、５２１、５３１、５４１、５５１は、入口を通過する紙幣ＢＮによって遮光する透遮光センサとしてもよい。制御部４１は、紙幣処理装置１が処理を停止した時点で集積部の入口に紙幣が止まっているか否かを、センサ５１１、５２１、５３１、５４１、５５１の検出信号に基づいて判断する。また、エラー解除処理中や回収処理中に、操作者が集積部にアクセスしたか否かも、センサ５１１、５２１、５３１、５４１、５５１の検出信号に基づいて判断するようにしてもよい。
【０１０１】
第１〜第５集積部５１〜５５の後側には、扉５１２、５２２、５３２、５４２、５５２が設けられている。扉５１２、５２２、５３２、５４２、５５２は、アーム部６１が紙幣を取り出すために、実線及び一点鎖線で示すように開閉可能に構成されている。扉５１２、５２２、５３２、５４２、５５２が開いたことを検知するセンサ（例えばリミットスイッチ等）を取り付ければ、エラー解除処理のとき等において、操作者が扉５１２、５２２、５３２、５４２、５５２を開けた集積部５１〜５５を特定することができる。扉が開いた集積部５１〜５５は、操作者がアクセスをした、又は、アクセスをしようとした集積部と判断することができるため、未確定の集積部となる。例えば図７の例では、第２集積部５２の扉５２２が開いたことを示している。第２集積部５２は、未確定の集積部となる。
【０１０２】
操作者が紙幣処理装置１の筐体１０を閉じると、エラー解除処理が完了する。操作者は、紙幣処理装置１のリセット操作を行う。紙幣処理装置１は、初期動作を行うことにより、動作可能な状態に戻る。
【０１０３】
エラー解除処理が終わると、制御部４１は、未確定の集積部を特定する。図７の例においては、センサの検知結果に基づいて、制御部４１は、第２集積部５２及び第３集積部を未確定の集積部と特定することになる。
【０１０４】
未確定の集積部を特定すれば、制御部４１は、当該集積部に集積されている紙幣ＢＮを回収対象に設定する。この紙幣処理装置１では、運搬部６が、第１〜第５集積部５１〜５５に集積されている紙幣ＢＮのうち、回収対象の紙幣ＢＮを、返却部１６に運搬することによって、回収処理が行われる。紙幣処理装置１が、回収対象の紙幣ＢＮを自動的に筐体１０の外へと運搬するため、回収が必要な紙幣ＢＮを漏れなく回収することができる。また、回収が不要な紙幣ＢＮを誤って回収してしまうことを防止することができる。
【０１０５】
運搬部６が回収対象の紙幣ＢＮを返却部１６に運搬しているときに、制御部４１は、図８に例示するように、回収対象の紙幣ＢＮに関する情報を含む画面Ｄ１を、表示部１７に表示させる。画面Ｄ１には、回収対象の紙幣ＢＮの金種（図例では、一万円札と、五千円札）、及び、回収する紙幣の枚数が記載されている。画面Ｄ１においてはまた、返却部１６に返却される紙幣ＢＮを、返却部１６から抜き取ることが指示される。さらに、画面Ｄ１には、未確定の集積部を特定する情報も記載されている。具体的には、第１〜第５集積部５１〜５５を表す、「第１」「第２」「第３」「第４」「第５」の五つのボックスが示されており、未確定の集積部は、そのボックスが強調表示されている。図８の画面Ｄ１の例は、図７の例に対応しており、「第２」のボックスと「第３」のボックスとが、それぞれ強調表示されている。操作者は、画面Ｄ１を見ることによって、返却部１６から返却される紙幣ＢＮに関する情報を得ることができる。
【０１０６】
尚、未確定の集積部が複数存在しているときには、運搬部６は、複数の集積部に集積されている紙幣を、順次、返却部１６に返却する。表示部１７に表示する画面Ｄ１においては、運搬部６が返却をする順番に従って、回収対象の紙幣ＢＮに関する情報や、集積部の情報を表示するようにしてもよい。
【０１０７】
回収処理によって、回収対象の紙幣ＢＮが筐体１０の外に回収されれば、操作者は、回収対象の紙幣ＢＮを、投入部１３に投入する。紙幣処理装置１は、投入部１３に投入された紙幣ＢＮの識別を行って、もとの集積部に集積をする戻し処理を行う。戻し処理が終わると、紙幣処理装置１は、エラーの発生直前の状態に戻る。
【０１０８】
このように、紙幣処理装置１においてエラーが発生した後、未確定の集積部を特定すると共に、未確定の集積部に集積されている紙幣ＢＮを回収対象にするため、回収対象の紙幣ＢＮの数が、必要最小限になる。その結果、戻し処理の負担を軽減することが可能になる。
【０１０９】
また、エラーが発生した後、エラーの解除処理が終わるまでの間の、操作者による集積部へのアクセスを監視することによって、未確定の集積部を、適切に判断することができる。
【０１１０】
さらに、紙幣処理装置１では、回収対象の紙幣ＢＮは、運搬部６によって自動的に、集積部から返却部１６へと運搬され、筐体１０の外に払い出されるから、回収対象の紙幣ＢＮを正確に回収することができると共に、操作者自らが、集積部から回収対象の紙幣ＢＮを取り出す必要がないため、操作者の負担が軽減する。
【０１１１】
（パトロール券による搬送路の検査）
紙幣処理装置１において発生したエラーを解除して、紙幣処理装置１をリセットした後、従来の紙幣処理装置１では、いわゆるパトロール券と呼ばれる、紙幣又は紙幣とは異なる検査券を、紙幣処理装置１の搬送部３において搬送をすることにより、搬送路に詰まった紙幣が残っていないかを検査したり、紙幣の一部が残留していないかを検査したりしている。
【０１１２】
しかしながら、エラーを解除した後に、必ずパトロール券を搬送させなければならないと、操作者の手間が煩雑になってしまうという問題がある。また、パトロール券を搬送させて検査が終了した後に、従来の紙幣処理装置では、装置をエラーダウンさせており、操作者は、パトロール券による検査後に、紙幣処理装置を再度リセットしなければならず、このこともまた、操作者の手間を煩雑にしている。
【０１１３】
この紙幣処理装置１は、前記の問題に鑑みて、エラー解除処理が終わった時点で、制御部４１がパトロール券による搬送路の検査が必要か否かを判断し、パトロール券の搬送が必要なときに限って、パトロール券の搬送を行うよう構成されている。パトロール券による検査の要否は、搬送路の各所に設けた通過センサの検知結果に基づいて行う。
【０１１４】
詳細な図示は省略するが、紙幣処理装置１の搬送路の各所には、紙幣ＢＮの通過を検出する通過センサ（例えば、透遮光センサ）が配置されている。前述したように、操作者がエラー解除処理を行って搬送路に残っている紙幣ＢＮを取り除いた上で、紙幣処理装置１をリセットすれば、紙幣処理装置１が初期動作を行ったときに、搬送路に残っていた紙幣ＢＮが搬送されるため、いずれかの通過センサにより、紙幣ＢＮを検知することができる。
【０１１５】
しかしながら、この紙幣処理装置１において、第２反転部２２のユニットと、紙幣処理装置１の筐体１０とのつなぎ目Ｃにおける搬送路に紙幣が残っていると、紙幣処理装置１が初期動作を行っても、当該残留紙幣が動かないため、通過センサによって検知することができない。第２反転部２２のユニットと、筐体１０とのつなぎ目Ｃは、図２又は図４において破線で囲んだ二箇所が、存在している。
【０１１６】
図９は、第２反転部２２のユニットと、筐体１０とのつなぎ目Ｃの構成を模式的に示している。第２反転部２２のユニットは、前述したように、筐体１０から前方に引き出し可能に構成されている。つなぎ目Ｃにおいては、紙幣ＢＮの搬送方向に直交する方向に、第２反転部２２のユニットが、筐体１０に対して相対移動したり、紙幣ＢＮの搬送方向に、第２反転部２２のユニットが、筐体１０に対して相対移動したりする。つなぎ目Ｃの近くには、紙幣ＢＮを搬送する搬送ローラ３１を配置することができずかつ、通過センサ３２も配置することができない。そのため、つなぎ目Ｃにおいて、紙幣ＢＮが何れの搬送ローラ３１にもグリップされずかつ、通過センサ３２にも検知されないことが起こり得る。
【０１１７】
つなぎ目Ｃに紙幣ＢＮが残留している可能性は、つなぎ目Ｃにおいて隣り合う二つの通過センサ３２の検知信号に基づいて判断することができる。つまり、紙幣ＢＮの搬送方向の上流の通過センサ３２が紙幣を検知したのに対し、下流の通過センサ３２が紙幣の検知しないまま、紙幣処理装置１が処理を停止したときには、図９に示すように、つなぎ目Ｃに紙幣ＢＮが残留している可能性がある。制御部４１は、パトロール券による搬送路の検査が必要であると判断することができる。
【０１１８】
パトロール券による搬送路の検査が必要であると判断したとき、制御部４１は、図１０に例示するように、表示部１７に、検査を促す画面Ｄ２を表示させてもよい。操作者は、パトロール券を用意して、パトロール券による搬送路の検査を行う。具体的に操作者は、パトロール券を投入部１３に投入し、紙幣処理装置１は、パトロール券を投入部１３から繰り出して、搬送路に沿って搬送する。これにより、搬送路において詰まっている紙幣ＢＮや、搬送路に残留している紙幣ＢＮを発見することができる。パトロール券は、例えば投入部１３から、第２外部集積部１２まで搬送してもよい。
【０１１９】
例えば図１１の（ａ）に示すように、搬送路３３において紙幣又は紙幣の一部ＢＮ４が残留しているときには、一点鎖線で示すように、例えばパトロール券ＰＣが残留紙幣ＢＮ４に当たって詰まることにより、紙幣の残留を発見することができる。パトロール券ＰＣと残留紙幣ＢＮ４とが重なったまま搬送されたとしても、搬送路３３の途中に設けているセンサによって重送を検知することができるため、残留紙幣を発見することができる。
【０１２０】
例えば図１１の（ｂ）に示すように、パトロール券ＰＣがスムースに搬送路３３を通ったときには、残留紙幣が無かったと判定することができる。パトロール券ＰＣがスムースに搬送されたか否かは、搬送路３３において、紙幣ＢＮの搬送方向に直交する方向に配設された、複数の通過センサ３１１、３１２、３１３によって検知することができる。つまり、複数の通過センサ３１１、３１２、３１３の全てがパトロール券ＰＣの通過を検知したときには、制御部４１は、残留紙幣が無かったと判断する。これに対し、例えば図１１の（ｃ）に示すように、複数の通過センサ３１１、３１２、３１３の一部のみがパトロール券ＰＣ（又は紙幣ＢＮ５）の通過を検知したときには、同図に例示するように、搬送路３３に紙幣Ｂの一部ＢＮ４が残留している可能性があるため、残留紙幣が無かったという判断は行わない。
【０１２１】
パトロール券ＰＣによる搬送路の検査が正常に終了をしたときには、前述した回収処理を開始する。パトロール券ＰＣによる搬送路の検査が不要なときには、紙幣処理装置１は、回収処理を自動的に開始する。一方、表示部１７に画面Ｄ２が表示されて、パトロール券における搬送路の検査が促されているにも関わらず、検査を行わずに処理（つまり、取引）を終了しようとしたときには、制御部４１は、表示部１７にエラー表示をしたり、警告音を発したりして、操作者に、パトロール券による搬送路の検査を促すように構成してもよい。
【０１２２】
（戻し処理と分類処理との一括処理）
前述したように、紙幣処理装置１の処理中に搬送エラーが発生したときには、操作者がエラー解除処理を行い、回収処理において回収した紙幣ＢＮを紙幣処理装置１の中に戻す戻し処理を行う。
【０１２３】
ここで、従来の紙幣処理装置では、戻し処理が完了して、紙幣処理装置１がエラーの発生直前の状態に戻った後に、続きの分類処理を行うことが可能に構成されていた。しかしながら、戻し処理中に、識別部１８が、エラー発生前の当初の分類処理においては正券として識別していた紙幣ＢＮを、損券と識別する場合がある。また、識別部１８が、当初の分類処理においては損券として識別していた紙幣ＢＮを、戻し処理においては、正券と識別する場合がある。このように当初の分類処理における識別結果と、戻し処理における識別結果とが異なってしまった紙幣は、戻し処理において、もとの集積部に戻すことができずに、リジェクト紙幣としてリジェクト部１４に排出されてしまう。リジェクト部１４に紙幣ＢＮが排出されてしまうと、集積部に集積される紙幣ＢＮの数が不足する。エラーの発生直前に集積された数だけ、集積部に紙幣が集積されなければ、戻し処理は完了しないから、操作者は、リジェクト部１４に排出された紙幣ＢＮを、もう一度、投入部１３に投入し直したり、または、同一金種の別の紙幣ＢＮを用意して投入部１３に投入し直したりしなければならない。戻し処理が煩雑になってしまうという不都合がある。
【０１２４】
そこで、この紙幣処理装置１では、戻し処理と、戻し処理後に行う分類処理とを続けて行うことができるよう構成されている。つまり、戻し処理を行うときには、回収処理において回収した紙幣ＢＮだけでなく、分類処理（例えばエラーの発生によって中断した分類処理や、新たな分類処理）用の紙幣ＢＮも併せて、投入部１３に投入することが可能に構成されている。戻し処理と、分類処理とを一括して行うことになる。
【０１２５】
前述した回収処理において、回収対象となった紙幣ＢＮの枚数は、記憶部４２に記憶されている。これは、戻し処理時に、第１〜第５集積部５１〜５５に戻すべき紙幣ＢＮの枚数に相当する。
【０１２６】
図１２は、戻し処理と分類処理とを一括して行う処理において、紙幣ＢＮの搬送先の例を説明する模式図である。前述したように、投入部１３には、回収処理において回収した紙幣ＢＮと、分類処理用の紙幣ＢＮとが投入される。
【０１２７】
投入部１３から繰り出された紙幣ＢＮは、識別部１８による識別により、同券種であれば、第１〜第５集積部５１〜５５へ搬送される。一方、異券種であれば、第１又は第２外部集積部１１、１２へ搬送される。ここで、同券種とは、紙幣ＢＮの正券又は損券を意味する。第１〜第５集積部５１〜５５に集積する紙幣ＢＮが正券であるときには、識別部１８による識別により正券と識別された紙幣は、同券種として第１〜第５集積部５１〜５５へ搬送され、損券と識別された紙幣は、リジェクト部１４ではなく、異券種として第１又は第２外部集積部１１、１２へ搬送される。第１〜第５集積部５１〜５５に集積する紙幣ＢＮが損券であるときには、同券種及び異券種は、前記とは逆である。尚、エラー現金戻し処理時にリジェクト券と識別された紙幣は、リジェクト部１４へ搬送される。
【０１２８】
戻し処理と分類処理とを一括して行うときには、戻し処理用のカウンタと、分類処理用のカウンタとを二つのカウンタを用いる。図１３は、戻し処理用のカウンタと、分類処理用のカウンタとの遷移例を示している。カウンタは、処理が進むに従って、符号１３０１の状態から、符号１３０２の状態、及び、符号１３０３の状態へと変化する。
【０１２９】
戻し処理用のカウンタは、回収対象となった紙幣ＢＮの枚数から減算するカウンタである。図１３の例では、戻し処理用のカウンタの初期状態１３０１は、一万円札が１０枚、千円札が１０枚と設定されて、合計は、−２０枚と設定されている。つまり、回収処理において、１０枚の一万円と、１０枚の千円とが回収されており、戻し処理においては、集積部に、１０枚の一万円札と、１０枚の千円札とのそれぞれを集積させる。
【０１３０】
戻し処理と分類処理との一括処理が開始すると先ず、戻し処理用のカウンタが減算される。１０枚の一万円札と、１０枚の千円札とのそれぞれが、同券種として集積部５１〜５５に集積されれば、符号１３０２に示すように、戻し処理用のカウンタの残りがゼロになり、戻し処理が完了する。
【０１３１】
それ以降に、投入部１３から繰り出される紙幣は、分類処理に係る紙幣である。識別部１８の識別結果に従って、第１〜第５集積部５１〜５５、又は、第１〜第２外部集積部１１、１２に集積されると共に、分類処理用のカウンタが加算される。図１３の例では、符号１３０３に示すように、４０枚の一万円札と４０枚の千円札とが、分類処理において計数されている。
【０１３２】
このように、戻し処理と分類処理とを一括して行うと、エラー発生時に回収した紙幣が異券種として識別されて第１〜第５集積部５１〜５５に集積されなかったとしても、分類処理用として投入部１３に投入した紙幣を、戻し処理用の紙幣として補充することができて、第１〜第５集積部５１〜５５に戻すことができる。そのため、戻し処理を、適切かつ速やかに終了させることが可能になる。
【０１３３】
ここで、戻し処理と分類処理とを一括して行うときに、戻し処理用の紙幣が異券種と識別されると、分類処理用の紙幣が、戻し処理用の紙幣として補充される結果、分類処理用の紙幣が、見かけ上、減ってしまうことになり、そのことが違算を招く恐れがある。
【０１３４】
そこで、戻し処理と分類処理とを一括して行う処理において、分類処理に係る紙幣の明細を操作者に予め入力させるようにしてもよい。操作者は、紙幣処理装置１の表示部１７において操作を行って、分類処理に係る紙幣の明細を入力してもよい。また、紙幣処理装置１は、有線又は無線の通信線を介して接続されている上位端末から、分類処理に係る紙幣の明細を入手してもよい。
【０１３５】
図１４は、分類処理に係る紙幣の明細を、操作者に予め入力させる構成における、戻し処理用のカウンタと、分類処理用のカウンタとの遷移の一例を示している。戻し処理用のカウンタは、前述したように、カウンタを減算する。また、分類処理用のカウンタも、予め入力した明細により、識別結果に応じて、カウンタを減算する。具体的に図１４の符号１４０１に示す初期状態の例では、１０枚の一万円札と１０枚の千円札とが戻し処理用の紙幣であり、５０枚の一万円札と５０枚の千円札とが分類処理用の紙幣である。これらの紙幣が全て、投入部１３に投入される。尚、投入部１３に紙幣を一度に投入することができないときは、操作者は、前述したように、複数回に分けて、投入部１３に、紙幣ＢＮを投入することができる。
【０１３６】
符号１４０２は、エラー現金戻し処理が完了したときの、エラー現金戻し処理用のカウンタ、及び、新たな整理処理用のカウンタを例示している。ここで、図では示さないが、戻し処理が完了するまでに、１０枚の一万円札が異券種として識別されて、第１又は第２集積部５１、５２へ搬送されていると共に、１０枚の千円札が異券種として識別されて、第１又は第２集積部５１、５２へ搬送されているとする。つまり、分類処理用として投入部１３に投入した５０枚の一万円札の内、１０枚の一万円札が戻し処理用の紙幣として取り扱われ、同様に５０枚の千円札の内、１０枚の千円札が、戻し処理用の紙幣として取り扱われている。
【０１３７】
戻し処理が終わった後に投入部１３から繰り出される紙幣は、分類処理用の紙幣として取り扱われる。分類処理用のカウンタも、識別部１８の識別結果に基づいて、減算を行う。符号１４０３の例では、４０枚の一万円札が分類処理の紙幣としてカウントされ、４０枚の千円札が分類処理の紙幣としてカウントされている。新たな整理処理用の紙幣として、一万円札が５０枚と、千円札が５０枚とが、予め入力されているため、分類処理用のカウンタは、残り−２０枚を示している。
【０１３８】
操作者は、第１及び／又は第２外部集積部１１、１２、又は、リジェクト部１４に集積されている紙幣を、投入部１３に再投入するか、別の紙幣を用意して投入部１３に再投入するかして、分類処理用のカウンタが０枚になるまで、分類処理を継続する。戻し処理のカウンタと、分類処理用のカウンタとの両方の残りがゼロになれば、戻し処理と、分類処理との両方が終了する。
【０１３９】
このように、戻し処理と分類処理とを一括して行うときに、分類処理に係る明細を予め入力しておくと、分類処理用の紙幣の一部を、戻し処理用の紙幣として補充したときに、分類処理に関して違算が発生してしまうことを未然に防止することができる。
【０１４０】
尚、戻し処理を行った後、紙幣処理装置１は、戻し処理の明細を上位端末に送信するようにしてもよい。
【０１４１】
（第２反転部における残留紙幣の検知）
前述したように、第２反転部２２は、紙幣ＢＮの搬送幅方向の向きを反転させるよう構成された反転機構２２４を有している。反転機構２２４は、その構成の詳細な図示は省略するが、紙幣ＢＮを捻りながら搬送するよう構成されており、反転機構２２４内には、その構造上、紙幣ＢＮを検知するための検知センサを配設することが難しい。そのため、反転機構２２４内に紙幣ＢＮ又は紙幣ＢＮの一部が残留していることを、直接的に検知することが困難である。その一方で、反転機構２２４は、紙幣ＢＮを捻ることから、傷んだ紙幣であれば、一部がちぎれて、反転機構２２４内に紙幣ＢＮの一部が残留してしまう恐れがある。
【０１４２】
そこで、第２反転部２２は、反転機構２２４における入口側に配置したセンサ２２４１と、出口側に配置したセンサ２２４２、２２４３、２２４４との検知信号に基づいて、反転機構２２４内に紙幣ＢＮ又は紙幣ＢＮの一部が残留していないか否かを判断する。
【０１４３】
具体的には、図５の上図に示すように、反転機構２２４の入口側のセンサ２２４１が紙幣ＢＮの通過を検知した後、図５の下図に実線で示すように、反転機構２２４の出口側の三つのセンサ２２４２、２２４３、２２４４の全てが紙幣ＢＮの通過を検知すれば、制御部４１は、反転機構２２４内に紙幣ＢＮ又は紙幣ＢＮの一部は残留していないと判断する。
【０１４４】
これに対し、図５の下図に一点鎖線で示すように、入口側のセンサ２２４１が紙幣ＢＮの通過を検知した後、所定時間が経過しても、出口側の三つのセンサ２２４２、２２４３、２２４４の全てが、紙幣ＢＮの通過を検知しないときには、制御部４１は、反転機構２２４内に紙幣ＢＮ又は紙幣ＢＮの一部は残留していると判断する。
【０１４５】
さらに、図１５に例示するように、破れかかった紙幣が反転機構２２４に入った後、紙幣の一部ＢＮ６が反転機構２２４内に残り、紙幣の残りＢＮ７だけが、反転機構２２４を通過したときには、出口側の三つのセンサ２２４２、２２４３、２２４４の一部だけ（図１５の下図の例では、センサ２２４３、２２４４）が紙幣ＢＮの通過を検出する。この場合、制御部４１は、紙幣ＢＮの一部が、反転機構２２４内に残留していると判断する。
【０１４６】
制御部４１が、反転機構２２４のセンサ２２４１、２２４２、２２４３、２２４４の検知信号に基づいて、反転機構２２４内に紙幣ＢＮ又は紙幣ＢＮの一部が残留していると判断したときには、制御部４１は、紙幣処理装置１の処理を停止する。操作者は、第２反転部２２のユニットを、紙幣処理装置１の筐体から引き出して、反転機構２２４内に残留している紙幣ＢＮ又は紙幣ＢＮの一部を、反転機構２２４から取り除く。
【０１４７】
（紙幣揃えの変形例）
紙幣処理装置１は、第１反転部２１及び第２反転部２２を備えていることにより、紙幣ＢＮの表裏及び天地方向の向きの両方を揃えることができる。また、第１反転部２１及び第２反転部２２を用いると、紙幣の方向を、Ａ方向、Ｂ方向、Ｃ方向及びＤ方向のいずれにも変更することができる。そこで、紙幣処理装置１は、全ての紙幣を同じ方向に揃えるのではなく、識別部１８による識別結果に応じて、紙幣を揃える方向を変更してもよい。
【０１４８】
例えば、第１外部集積部１１又は第２外部集積部１２に集積する紙幣ＢＮは、正券であればＡ方向にし、損券であればＢ方向にするようにしてもよい。図１６に示すように、Ａ方向の正券は、第１反転部２１及び第２反転部２２を、それぞれ反転せずに通過することによってＡ方向のままになる一方、Ａ方向の損券は、第１反転部２１において反転した後、第２反転部２２においても反転することにより、Ｂ方向に変更される。同様に、Ｂ方向の正券は、第１反転部２１において反転した後、第２反転部２２においても反転をすることによりＡ方向に変更される一方、Ｂ方向の損券の紙幣は、第１反転部２１及び第２反転部２２を、それぞれ反転せずに通過することによってＢ方向のままになる。Ｃ方向の正券は、第１反転部２１において反転した後、第２反転部２２を反転せずに通過することにより、Ａ方向に変更される一方、Ｃ方向の損券は、第１反転部を反転せずに通過した後、第２反転部２２において反転することにより、Ｂ方向に変更される。Ｄ方向の正券は、第１反転部２１を反転せずに通過した後、第２反転部２２において反転することによりＡ方向に変更される一方、Ｄ方向の損券は、第１反転部２１において反転した後、第２反転部２２を反転せずに通過してＢ方向に変更される。
【０１４９】
こうして、正券を所定の方向に揃え、損券を、正券とは別の方向に揃えるようにすると、操作者は、紙幣処理装置１の第１外部集積部１１又は第２外部集積部１２に集積されている紙幣ＢＮの方向を見れば、当該紙幣ＢＮが正券であるか、損券であるかを判断することが可能になる。
【０１５０】
また、第１〜第５集積部５１〜５５に集積する紙幣ＢＮについても同様に、識別結果に従って方向を揃えるようにしてもよい。例えば図１７に示すように、正券をＡ方向に揃え、損券をＢ方向に揃えるようにすれば、操作者は、帯封紙幣の帯封紙Ｔの位置により、目視しただけで、正券の束であるか、損券の束であるかを判別することができる。
【０１５１】
（紙幣処理装置の変形例）
図１８は、紙幣処理装置の別の構成例を示している。この紙幣処理装置１００は、図２に示す紙幣処理装置１と同様に、紙幣ＢＮを識別及び計数し、種類別に分類をした上で、所定枚数毎の帯封紙幣を作成する装置である。紙幣処理装置１００は、第１外部集積部１１、第２外部集積部１２、投入部１３、リジェクト部１４、投出部１５、表示部１７、識別部１８、第１反転部２１、搬送部３、制御部４１、記憶部４２、第１〜第５集積部５１〜５５、運搬部６、及び、帯封部７を備えている。
【０１５２】
紙幣処理装置１００において、図２に示す紙幣処理装置１と同じ構成要素について同じ符号を付して、その詳細な説明を省略する場合がある。紙幣処理装置１００は、主に、構成要素の配置が、紙幣処理装置１とは相違する。また、紙幣処理装置１００は、紙幣処理装置１とは異なり、端数紙幣を返却するための返却部１６を備えていない。さらに、紙幣処理装置１００は、紙幣処理装置１とは異なり、第２反転部を備えていない。紙幣処理装置１００は、紙幣の表裏のみを揃えることができる。尚、紙幣処理装置１００は、第２反転部を備えて構成してもよい。
【０１５３】
第１外部集積部１１及び第２外部集積部１２は、紙幣処理装置１００の筐体１０の上部に前後に並んで設けられている。第１外部集積部１１は、第２外部集積部１２よりも後側に配設されている。筐体１０の上部において、第１外部集積部１１よりも前側には、リジェクト部１４が配設されている。
【０１５４】
識別部１８は、筐体１０の前面の上部に設けられた投入部１３の後側でかつ、第２外部集積部１２及びリジェクト部１４の下側に配設されている。識別部１８は、紙幣ＢＮを上下方向に搬送する搬送路に設けられている。リジェクト部１４につながる搬送路１４１は、紙幣ＢＮの搬送方向について識別部１８の下流から分岐している。
【０１５５】
第１反転部２１は、筐体１０の内部において、識別部１８の後側でかつ、第１外部集積部１１及び第２外部集積部１２の下側に配設されている。紙幣ＢＮは、第１反転部２１を、上から下に向かう略上下方向に通過する。
【０１５６】
第１外部集積部１１及び第２外部集積部１２につながる搬送路１２０は、紙幣ＢＮの搬送方向について、第１反転部２１の下流から分岐している。
【０１５７】
第１〜第５集積部５１〜５５は、筐体１０内の前部において、上下方向に並んで配設されている。紙幣ＢＮを搬送する搬送路は、第１〜第５集積部５１〜５５の前側において、第１〜第５集積部５１〜５５に沿うように、上下方向に伸びて配設されている。この搬送路は、筐体１０の前部に設けた扉１０１に対して一体に設けられている。図示は省略するが、扉１０１を開けることによって、第１〜第５集積部５１〜５５が、筐体１０の外に開放される。
【０１５８】
この紙幣処理装置１００において、第１〜第５集積部５１〜５５に残った端数紙幣は、操作者が手で、第１〜第５集積部５１〜５５の前側から直接、取り出す。図示は省略するが、第１〜第５集積部５１〜５５の前側には、操作者が手で開閉可能な扉が取り付けられている。扉が開いたことを検出するセンサが、第１〜第５集積部５１〜５５のそれぞれに取り付けられている。
【０１５９】
運搬部６は、第１〜第５集積部５１〜５５の後側に配設されている。運搬部６は、第１〜第５集積部５１〜５５から取り出した紙幣ＢＮを、帯封部７に運搬する。
【０１６０】
帯封部７は、第１〜第５集積部５１〜５５の下側に配設されている。帯封部７は、運搬部６によって運搬された紙幣ＢＮを帯封する。生成された帯封紙幣は、第２運搬部７２によって運搬されることにより、投出部１５から投出される。
【０１６１】
この紙幣処理装置１００においても、前述したように、分類処理中にエラーが発生して紙幣処理装置１００が停止したときに、操作者は、エラー解除処理を行う。例えば扉１０１を開けて、搬送路において詰まっている紙幣ＢＮを手で取り除く。また、搬送路において残っている紙幣ＢＮも、手で取り除く。
【０１６２】
紙幣処理装置１００は、返却部１６を備えていないため、エラー解除処理が終わった後の回収処理において、操作者は、第１〜第５集積部５１〜５５に集積されている紙幣の内、未確定の集積部に集積されている紙幣を回収対象の紙幣として、集積部から手で取り出す。
【０１６３】
図１９に例示するように、回収処理に際して紙幣処理装置１００の表示部１７に、紙幣ＢＮを取り出すべき集積部の情報が記載された画面Ｄ３を表示するようにしてもよい。図１９の構成例では、上から２番目の第２集積部５２が、他の集積部よりも強調して表示されることにより、紙幣ＢＮを取り出すべき集積部として表示されている。尚、未確定の集積部が複数あり、複数の集積部のそれぞれから紙幣ＢＮを取り出す必要があれば、画面Ｄ３に、複数の集積部を強調表示してもよい。こうすることで、操作者に対し、回収対象の紙幣を、指定された集積部から正確に取り出す一方で、回収対象でない紙幣を、集積部から取り出すことがないようにすることができる。
【０１６４】
尚、操作者が、回収対象の紙幣を集積しない集積部に誤ってアクセスをしてしまったとき等には、当該集積部は、未確定の集積部になる。回収処理中に未確定になってしまったときには、図１９に示す画面Ｄ３の情報を更新して、新たに未確定となった集積部の情報を表示するようにしてもよい。
【０１６５】
ここで、紙幣処理装置１００においては、回収対象の紙幣ＢＮを集積しない集積部にアクセスをする誤操作を防止するために、各集積部の前側に個別の内扉を配置し、各内扉にロック機構を設けてもよい。つまり、回収対象の紙幣ＢＮを集積している集積部は、内扉のロックを解除状態にして、扉１０１及び内扉を開けて第１〜第５集積部５１〜５５を、筐体１０の外に開放したときに、紙幣の取り出しを許容する。一方、回収対象の紙幣ＢＮを集積しない集積部は、内扉をロック状態にすることにより、操作者が当該集積部にアクセスすることができないようにしてもよい。
【０１６６】
また、各集積部にロック機構を設ける代わりに、又は、ロック機構を設けると共に、各集積部に、操作者がアクセスしようとしたことを検知するセンサ（例えば透遮光センサ）を取り付け、センサの検知信号に基づいて、操作者が、回収対象の紙幣を集積しない集積部にアクセスしようとしたときには、警告音を発したり、表示部１７の警告表示を行ったりすることにより、操作者による不要なアクセスを防止するようにしてもよい。
【０１６７】
この紙幣処理装置１００においても、エラーが発生した後、未確定の集積部を特定すると共に、未確定の集積部に集積されている紙幣ＢＮを回収対象にするため、回収対象の紙幣ＢＮの数が、必要最小限になる。その結果、戻し処理の負担を軽減することが可能になる。
【０１６８】
また、この紙幣処理装置１００においては、操作者が回収対象の紙幣ＢＮを手で回収するが、未確定の集積部に関する情報を、操作者に提供することによって（図１９参照）、操作者は、未確定の集積部を認識することができ、正しい集積部から回収対象の紙幣ＢＮを回収することができる。
【０１６９】
尚、紙幣処理装置１００においても、紙幣処理装置１を例に説明した各種の構成を、適宜、適用することが可能である。
【０１７０】
（他の実施形態）
尚、紙幣処理装置は、紙幣ＢＮを長手の縁を前にして搬送する、いわゆる短手搬送に構成することに限らず、紙幣ＢＮを短手の縁を前にして搬送する、いわゆる長手搬送に構成することも可能である。
【０１７１】
また、紙幣処理装置は、複数の集積部を備えることに限らず、例えば集積部は一つであってもよい。
【０１７２】
紙幣処理装置は、入金処理を行う入金機、出金処理を行う出金機、及び、入金処理と出金処理とを行う入出金機としてもよい。
【０１７３】
尚、ここに開示する技術は、紙幣の処理を行う装置に限らず、小切手や商品券等の有価媒体を含む紙葉類を処理する装置に、広く適用することが可能である。
【０１７４】
また、前述した様々な構成は、適宜、組み合わせたり、適宜、省略したりすることが可能である。
【符号の説明】
【０１７５】
１  紙幣処理装置（紙葉類処理装置）
１０  筐体（装置筐体）
１００  紙幣処理装置（紙葉類処理装置）
１３  投入部
１６  返却部
１７  表示部
１８  識別部
４１  制御部
５１〜５５  第１〜第５集積部
５１１、５２１、５３１、５４１、５５１  センサ
６  運搬部
【図１】
2019101851.tif 000003
【図２】
2019101851.tif 000004
【図３】
2019101851.tif 000005
【図４】
2019101851.tif 000006
【図５】
2019101851.tif 000007
【図６】
2019101851.tif 000008
【図７】
2019101851.tif 000009
【図８】
2019101851.tif 000010
【図９】
2019101851.tif 000011
【図１０】
2019101851.tif 000012
【図１１】
2019101851.tif 000013
【図１２】
2019101851.tif 000014
【図１３】
2019101851.tif 000015
【図１４】
2019101851.tif 000016
【図１５】
2019101851.tif 000017
【図１６】
2019101851.tif 000018
【図１７】
2019101851.tif 000019
【図１８】
2019101851.tif 000020
【図１９】
2019101851.tif 000021